(57)【要約】【課題】第１筐体と第２筐体を互いに開閉可能に連結して構成される電話機本体に受話部と送話部を配備した携帯電話機において、レシーバ通話からハンズフリー通話への切り換えをユーザのキー操作によらずに行なうことが可能であり、然もユーザの意図しない切り換えを抑制することが出来る携帯電話機を提供する。【解決手段】本発明に係る携帯電話機において、電話機本体には、物体の近接若しくは接触によってオンとなる近接センサー７と、電話機本体の開閉を検知する開閉センサー８とが配備され、レシーバ通話状態にて、近接センサー７がオンからオフとなったことが検知され、開閉センサー８によって電話機本体が閉状態から開状態へ向けて開かれたことが検知され、且つこの２つの検知状態が一定時間継続したとき、レシーバ通話からハンズフリー通話へ切り換える。【選択図】図２
2013207481.tif 000002
【特許請求の範囲】
【請求項１】
電話機本体に受話部と送話部を有し、受話部を耳元に近づけると共に送話部を口元に近づけた状態でのレシーバ通話と、受話部を耳元から遠ざけると共に送話部を口元から遠ざけた状態でのハンズフリー通話とが可能な携帯電話機において、
前記電話機本体には、物体の近接若しくは接触によってオンとなる近接センサーが配備され、レシーバ通話中に、近接センサーがオンからオフとなったことが検知され、且つ該検知状態が一定時間継続したとき、レシーバ通話からハンズフリー通話へ切り換えることを特徴とする携帯電話機。
【請求項２】
ハンズフリー通話中に、近接センサーがオフからオンとなったことが検知されたとき、ハンズフリー通話からレシーバ通話へ切り換える請求項１に記載の携帯電話機。
【請求項３】
第１筐体と第２筐体を互いに開閉可能に連結して構成される電話機本体に、受話部と送話部を有し、受話部を耳元に近づけると共に送話部を口元に近づけた状態でのレシーバ通話と、受話部を耳元から遠ざけると共に送話部を口元から遠ざけた状態でのハンズフリー通話とが可能な携帯電話機において、
前記電話機本体には、物体の近接若しくは接触によってオンとなる近接センサーと、電話機本体の開閉を検知する開閉センサーとが配備され、レシーバ通話中に、近接センサーがオンからオフとなったことが検知され、且つ開閉センサーによって電話機本体が閉状態から開状態へ向けて開かれたことが検知されたとき、レシーバ通話からハンズフリー通話へ切り換えることを特徴とする携帯電話機。
【請求項４】
ハンズフリー通話中に、近接センサーがオフからオンとなったことが検知され、且つ開閉センサーによって電話機本体が開状態から閉状態に変化したことが検知されたとき、ハンズフリー通話からレシーバ通話へ切り換える請求項３に記載の携帯電話機。
【請求項５】
第１筐体と第２筐体を互いに開閉可能に連結して構成される電話機本体に、受話部と送話部を有し、受話部を耳元に近づけると共に送話部を口元に近づけた状態でのレシーバ通話と、受話部を耳元から遠ざけると共に送話部を口元から遠ざけた状態でのハンズフリー通話とが可能な携帯電話機において、
前記電話機本体には電話機本体の開閉を検知する開閉センサーが配備され、レシーバ通話中に、開閉センサーによって電話機本体が閉状態から開状態へ向けて開かれたことが検知され、且つ該検知状態が一定時間継続したとき、レシーバ通話からハンズフリー通話へ切り換えることを特徴とする携帯電話機。
【請求項６】
ハンズフリー通話中に、開閉センサーによって電話機本体が開状態から閉状態に変化したことが検知されたとき、ハンズフリー通話からレシーバ通話へ切り換える請求項５に記載の携帯電話機。
【請求項７】
第１筐体と第２筐体を互いに開閉可能に連結して構成される電話機本体に、受話部と送話部を有し、受話部を耳元に近づけると共に送話部を口元に近づけた状態でのレシーバ通話と、受話部を耳元から遠ざけると共に送話部を口元から遠ざけた状態でのハンズフリー通話とが可能な携帯電話機において、
前記電話機本体には、物体の近接若しくは接触によってオンとなる近接センサーと、電話機本体の開閉を検知する開閉センサーとが配備され、レシーバ通話中に、近接センサーがオンからオフとなったことが検知され、開閉センサーによって電話機本体が閉状態から開状態へ向けて開かれたことが検知され、且つこの２つの検知状態が一定時間継続したとき、レシーバ通話からハンズフリー通話へ切り換えることを特徴とする携帯電話機。
【請求項８】
ハンズフリー通話中に、近接センサーがオフからオンとなったことが検知され、且つ開閉センサーによって電話機本体が開状態から閉状態に変化したことが検知されたとき、ハンズフリー通話からレシーバ通話へ切り換える請求項７に記載の携帯電話機。
【発明の詳細な説明】
【技術分野】
【０００１】
本発明は、ハンズフリー通話が可能な携帯電話機に関するものである。
【背景技術】
【０００２】
従来、第１筐体と第２筐体を互いに開閉可能に連結してなる電話機本体を具えた携帯電話機においては、電話機本体を閉じた状態で着信があった場合、閉状態のままで電話機本体を把持し、受話部を耳元に近づけると共に送話部を口元に近づけることによって、通話(レシーバ通話)が可能となる。
又、着信時に、ユーザのキー操作によってレシーバ通話からハンズフリー通話に切り換えることにより、受話部を耳元から遠ざけると共に送話部を口元から遠ざけた状態で、通話(ハンズフリー通話)が可能となる。
【０００３】
ハンズフリー通話が可能な携帯電話機においては、ユーザのキー操作によらず、電話機本体の閉状態から開状態への変化に応じてレシーバ通話からハンズフリー通話に自動的に切り換える携帯電話機が提案されている(特許文献１)。
又、ハンズフリー通話が可能な携帯電話機において、ユーザのキー操作によらず、電話機本体に物体(人体)が接触若しくは近接したことが検知されたとき、ハンズフリー通話からレシーバ通話に自動的に切り換える携帯電話機が提案されている(特許文献２)。
【０００４】
この様な携帯電話機によれば、レシーバ通話とハンズフリー通話の間の切り換えが自動的に行なわれるため、利便性が向上する。
【先行技術文献】
【特許文献】
【０００５】
【特許文献１】特開２００３−１８０７８号公報
【特許文献２】特開２００２−２４７１８３号公報
【発明の概要】
【発明が解決しようとする課題】
【０００６】
しかしながら、電話機本体の開閉状態に応じてレシーバ通話からハンズフリー通話に切り換える構成においては、レシーバ通話中に、例えば画面を確認する必要性が生じて一時的に電話機本体を開いたとき、レシーバ通話からハンズフリー通話へ強制的に切り換えられるため、この切り換えがユーザの意図しないものである場合、返ってユーザに不便となる問題があった。
【０００７】
又、物体の接触若しくは近接に応じてハンズフリー通話からレシーバ通話に切り換える構成においては、レシーバ通話中に電話機本体を耳元から離すことによって、レシーバ通話からハンズフリー通話へ強制的に切り換えられることになるが、この切り換えがユーザの意図しないものであることもあり、この場合は返ってユーザに不便となる問題があった。
【０００８】
そこで本発明の目的は、レシーバ通話からハンズフリー通話への切り換えをユーザのキー操作によらずに行なうことが可能であり、然もユーザの意図しない切り換えを抑制することが出来る携帯電話機を提供することである。
【課題を解決するための手段】
【０００９】
本発明に係る第１の携帯電話機は、電話機本体に受話部と送話部を有し、受話部を耳元に近づけると共に送話部を口元に近づけた状態でのレシーバ通話と、受話部を耳元から遠ざけると共に送話部を口元から遠ざけた状態でのハンズフリー通話とが可能である。
前記電話機本体には、物体の近接若しくは接触によってオンとなる近接センサーが配備され、レシーバ通話中に、近接センサーがオンからオフとなったことが検知され、且つ該検知状態が一定時間継続したとき、レシーバ通話からハンズフリー通話へ切り換える。
【００１０】
上記携帯電話機によれば、レシーバ通話中にユーザがキー操作を行なったり、画面を確認したりする場合、ユーザは電話機本体を耳元から遠ざけ、この状態でキー操作を行なったり、画面を確認したりすることになる。これによって、近接センサーがオンからオフになると共に、近接センサーのオフ状態で前記一定時間が経過することになる。この結果、レシーバ通話からハンズフリー通話へ切り換えられる。
これに対し、ユーザにハンズフリー通話へ切り換える意図がなく、一時的に電話機本体を耳元から遠ざけた場合は、レシーバ通話を継続するべく、ユーザは前記一定時間が経過する前に、電話機本体を耳元に近づけるので、レシーバ通話からハンズフリー通話への切り換えが強制的に行なわれることはない。
【００１１】
本発明に係る第２の携帯電話機は、第１筐体と第２筐体を互いに開閉可能に連結して構成される電話機本体に、受話部と送話部を有し、受話部を耳元に近づけると共に送話部を口元に近づけた状態でのレシーバ通話と、受話部を耳元から遠ざけると共に送話部を口元から遠ざけた状態でのハンズフリー通話とが可能である。
前記電話機本体には、物体の近接若しくは接触によってオンとなる近接センサーと、電話機本体の開閉を検知する開閉センサーとが配備され、レシーバ通話中に、近接センサーがオンからオフとなったことが検知され、且つ開閉センサーによって電話機本体が閉状態から開状態へ向けて開かれたことが検知されたとき、レシーバ通話からハンズフリー通話へ切り換える。
【００１２】
上記携帯電話機によれば、レシーバ通話中にユーザがキー操作を行なったり、画面を確認したりする場合、ユーザは電話機本体を耳元から遠ざけ、電話機本体を開いた状態でキー操作を行なったり、画面を確認したりすることになる。これによって、近接センサーがオンからオフになると共に、開閉センサーが電話機本体の閉状態から開状態への変化を検知することになる。この結果、レシーバ通話からハンズフリー通話へ切り換えられる。
これに対し、ユーザにハンズフリー通話へ切り換える意図がない場合は、一時的に電話機本体を耳元から遠ざけることはあったとしても、電話機本体を開くことはない。仮にユーザがいたずらに電話機本体を開くことがあるとしても、その操作は電話機本体を耳元から殆ど遠ざけることなく行なわれることが多い。従って、レシーバ通話からハンズフリー通話への切り換えが強制的に行なわれることはない。
【００１３】
本発明に係る第３の携帯電話機は、第１筐体と第２筐体を互いに開閉可能に連結して構成される電話機本体に、受話部と送話部を有し、受話部を耳元に近づけると共に送話部を口元に近づけた状態でのレシーバ通話と、受話部を耳元から遠ざけると共に送話部を口元から遠ざけた状態でのハンズフリー通話とが可能である。
前記電話機本体には、電話機本体の開閉を検知する開閉センサーが配備され、レシーバ通話中に、開閉センサーによって電話機本体が閉状態から開状態へ向けて開かれたことが検知され、且つ該検知状態が一定時間継続したとき、レシーバ通話からハンズフリー通話へ切り換える。
【００１４】
上記携帯電話機によれば、レシーバ通話中にユーザがキー操作を行なったり、画面を確認したりする場合、ユーザは電話機本体を開き、この状態でキー操作を行なったり、画面を確認したりすることになる。これによって、開閉センサーが電話機本体の閉じ状態から開き状態への変化を検知すると共に、この状態で前記一定時間が経過することになる。この結果、レシーバ通話からハンズフリー通話へ切り換えられる。
これに対し、ユーザにハンズフリー通話へ切り換える意図がなく、一時的に電話機本体を開いた場合は、レシーバ通話を継続するべく、前記一定時間が経過する前に、ユーザは、電話機本体を再度閉じるので、レシーバ通話からハンズフリー通話への切り換えが強制的に行なわれることはない。
【００１５】
本発明に係る第４の携帯電話機は、第１筐体と第２筐体を互いに開閉可能に連結して構成される電話機本体に、受話部と送話部を有し、受話部を耳元に近づけると共に送話部を口元に近づけた状態でのレシーバ通話と、受話部を耳元から遠ざけると共に送話部を口元から遠ざけた状態でのハンズフリー通話とが可能である。
前記電話機本体には、物体の近接若しくは接触によってオンとなる近接センサーと、電話機本体の開閉を検知する開閉センサーとが配備され、レシーバ通話状態にて、近接センサーがオンからオフとなったことが検知され、開閉センサーによって電話機本体が閉状態から開状態へ向けて開かれたことが検知され、且つこの２つの検知状態が一定時間継続したとき、レシーバ通話からハンズフリー通話へ切り換える。
【００１６】
上記携帯電話機によれば、レシーバ通話中にユーザがキー操作を行なったり、画面を確認したりする場合、ユーザは電話機本体を耳元から遠ざけて、電話機本体を開き、この状態でキー操作を行なったり、画面を確認したりすることになる。これによって、近接センサーがオンからオフになると共に、開閉センサーが電話機本体の閉じ状態から開き状態への変化を検知し、この状態で前記一定時間が経過することになる。この結果、レシーバ通話からハンズフリー通話へ切り換えられる。
これに対し、ユーザにハンズフリー通話へ切り換える意図がなく、一時的に電話機本体を耳元から遠ざけた場合や電話機本体を開いた場合は、レシーバ通話を継続するべく、ユーザは、前記一定時間が経過する前に、電話機本体を再度閉じて耳元に近づけるので、レシーバ通話からハンズフリー通話への切り換えが強制的に行なわれることはない。
【発明の効果】
【００１７】
本発明に係る携帯電話機によれば、レシーバ通話からハンズフリー通話への切り換えをユーザのキー操作によらずに行なうことが可能であり、然もユーザの意図しない切り換えを抑制することが出来る。
【図面の簡単な説明】
【００１８】
【図１】図１は、本発明の一実施形態である携帯電話機の閉状態を示す斜視図である。
【図２】図２は、該携帯電話機の開状態を示す斜視図である。
【図３】図３は、該携帯電話機の分解斜視図である。
【図４】図４は、該携帯電話機の電気的な構成を示すブロック図である。
【図５】図５は、該携帯電話機の第１の動作を表わすフローチャートである。
【図６】図６は、該携帯電話機の第２の動作を表わすフローチャートである。
【発明を実施するための形態】
【００１９】
以下、本発明の実施の形態につき、図面に沿って具体的に説明する。
本発明の一実施形態である携帯電話機は、図１及び図２に示す如く、第１筐体(１)と第２筐体(２)を互いにスライド可能に連結して、開閉可能な電話機本体が構成されている。
【００２０】
該電話機本体は、図１に示す如く第１筐体(１)の表面に第２筐体(２)の裏面が重なって、第２筐体(２)の表面に配備されたディスプレイ(21)を露出させた閉状態と、図２に示す如く第２筐体(２)がスライドして、第１筐体(１)の表面に配備された複数の操作キー(11)と第２筐体(２)のディスプレイ(21)とを同時に露出させた開状態とを設定することが出来る。
【００２１】
ここで第１筐体(１)及び第２筐体(２)はそれぞれ、図１の如くスライド方向に直交する横方向の長さＡが、スライド方向に沿う縦方向の長さＢよりも大きく形成されている。
【００２２】
図３に示す如く第２筐体(２)の裏面には、スライド方向に伸びる左右一対の係合部(31)(31)が配備され、該係合部(31)(31)にスライド部材(３)が摺動可能に係合している。該スライド部材(３)は、第１筐体(１)の表面に固定される。
斯くして、第１筐体(１)と第２筐体(２)とを互いにスライド可能に連結するスライド機構が構成される。
【００２３】
又、第２筐体(２)の裏面には、左右一対の係合部(31)(31)の両側に、左右一対のガイド溝(６)(６)が形成されている。一方、第１筐体(１)の表面には、合成樹脂製の左右一対の摺動片(５)(５)が固定され、該摺動片(５)(５)は、第２筐体(２)の前記一対のガイド溝(６)(６)に摺動可能に係合している。
斯くして、第１筐体(１)に対する第２筐体(２)の往復移動を案内するガイド機構が構成される。
【００２４】
図１に示す如く第２筐体(２)の表面には、前記横方向の両端部に、送話部(22)と受話部(23)とが配備されている。又、第１筐体(１)の裏面には、図３に示す如く放音部(12)が配備されている。
【００２５】
更に、第１筐体(１)には、受話部(23)の近傍位置に、近接センサー(７)が内蔵されている。又、第１筐体(１)と第２筐体(２)には、図１に示す閉状態で互いに重なる位置に、磁気検知器(81)とマグネット(82)が配備され、これによって、両筐体(１)(２)の開閉状態を検知する開閉センサー(８)が構成されている。
【００２６】
第１筐体(１)及び第２筐体(２)の内部には、図４に示す回路系が内蔵されている。ここで、電話通信機能を発揮する電話通信回路(91)は、マイクロコンピュータからなる制御回路(９)によって動作が制御されている。
【００２７】
制御回路(９)には、前述の操作キー(11)、ディスプレイ(21)、近接センサー(７)、及び開閉センサー(８)が接続されると共に、タイマー(95)、前述の送話部(22)を構成するマイクロホン(94)、前述の受話部(23)を構成する小音量の第１スピーカ(92)、及び前述の放音部(12)を構成する大音量の第２スピーカ(93)が接続されている。
【００２８】
尚、近接センサー(７)は、物体(人体)が接近し若しくは接触したときにオフからオンとなるものである。開閉センサー(８)は、図１に示す閉状態でオンとなり、電話機本体が図１に示す閉状態から図２に示す開状態へ開く過程でオフとなるものである。タイマー(95)は後述する一定時間を計測するためのものである。
【００２９】
上記携帯電話機は、受話部(23)を耳元に近づける(例えば、耳に押し当てる)と共に送話部(22)を口元に近づけた状態で、受話部(23)と送話部(22)によってレシーバ通話を行なうことが可能であると共に、受話部(23)を耳元から遠ざけると共に送話部(22)を口元から遠ざけた状態で、送話部(22)と放音部(12)によってハンズフリー通話を行なうことが可能である。
【００３０】
尚、レシーバ通話では、第１スピーカ(92)とマイクロホン(94)をオンとし、第２スピーカ(93)はオフとする。又、ハンズフリー通話では、第２スピーカ(93)とマイクロホン(94)をオンとし、第１スピーカ(92)をオフとする。
【００３１】
上記携帯電話機によれば、レシーバ通信とハンズフリー通話の間の切り換えに関して、下記の４つの切り換え動作を実現することが出来る。
１．第１の切り換え動作
制御回路(９)は、レシーバ通話中に、近接センサー(７)がオンからオフとなったことが検知され、且つ該検知状態が一定時間(例えば５秒間)継続したとき、レシーバ通話からハンズフリー通話へ切り換える。
又、制御回路(９)は、ハンズフリー通話中に、近接センサー(７)がオフからオンとなったことが検知されたとき、ハンズフリー通話からレシーバ通話へ切り換える。
【００３２】
上記携帯電話機によれば、レシーバ通話中にユーザがキー操作を行なったり、画面を確認したりする場合、ユーザは電話機本体を耳元から遠ざけ、この状態でキー操作を行なったり、画面を確認したりすることになる。これによって、近接センサー(７)がオンからオフになると共に、近接センサー(７)のオフ状態で前記一定時間が経過することになる。この結果、レシーバ通話からハンズフリー通話へ切り換えられる。
【００３３】
これに対し、ユーザにハンズフリー通話へ切り換える意図がなく、一時的に電話機本体を耳元から遠ざけた場合は、レシーバ通話を継続するべく、ユーザは前記一定時間が経過する前に、電話機本体を耳元に近づけるので、レシーバ通話からハンズフリー通話への切り換えが強制的に行なわれることはない。
【００３４】
２．第２の切り換え動作
制御回路(９)は、レシーバ通話中に、近接センサー(７)がオンからオフとなったことが検知され、且つ開閉センサー(８)がオンからオフとなったことが検知されたとき、レシーバ通話からハンズフリー通話へ切り換える。
又、制御回路(９)は、ハンズフリー通話中に、近接センサー(７)がオフからオンとなったことが検知され、且つ開閉センサー(８)がオフからオンになったことが検知されたとき、ハンズフリー通話からレシーバ通話へ切り換える。
【００３５】
上記携帯電話機によれば、レシーバ通話中にユーザがキー操作を行なったり、画面を確認したりする場合、ユーザは電話機本体を耳元から遠ざけ、電話機本体を開いた状態でキー操作を行なったり、画面を確認したりすることになる。これによって、近接センサー(７)がオンからオフになると共に、開閉センサー(８)が電話機本体の閉状態から開状態への変化を検知することになる。この結果、レシーバ通話からハンズフリー通話へ切り換えられる。
【００３６】
これに対し、ユーザにハンズフリー通話へ切り換える意図がない場合は、一時的に電話機本体を耳元から遠ざけることはあったとしても、電話機本体を開くことはない。仮にユーザがいたずらに電話機本体を開くことがあるとしても、その操作は電話機本体を耳元から殆ど遠ざけることなく行なわれることが多い。従って、レシーバ通話からハンズフリー通話への切り換えが強制的に行なわれることはない。
【００３７】
３．第３の切り換え動作
制御回路(９)は、レシーバ通話中に、開閉センサー(８)がオンからオフになったことが検知され、且つ該検知状態が一定時間(例えば５秒間)継続したとき、レシーバ通話からハンズフリー通話へ切り換える。
又、制御回路(９)は、ハンズフリー通話中に、開閉センサー(８)がオフからオンになったことが検知されたとき、ハンズフリー通話からレシーバ通話へ切り換える。
【００３８】
上記携帯電話機によれば、レシーバ通話中にユーザがキー操作を行なったり、画面を確認したりする場合、ユーザは電話機本体を開き、この状態でキー操作を行なったり、画面を確認したりすることになる。これによって、開閉センサー(８)がオンからオフになると共に、この状態で前記一定時間が経過することになる。この結果、レシーバ通話からハンズフリー通話へ切り換えられる。
【００３９】
これに対し、ユーザにハンズフリー通話へ切り換える意図がなく、一時的に電話機本体を開いた場合は、レシーバ通話を継続するべく、前記一定時間が経過する前に、ユーザは、電話機本体を再度閉じるので、レシーバ通話からハンズフリー通話への切り換えが強制的に行なわれることはない。
【００４０】
４．第４の切り換え動作
制御回路(９)は、レシーバ通話中に、近接センサー(７)がオンからオフとなったことが検知され、開閉センサー(８)がオンからオフになったことが検知され、且つこの２つの検知状態が一定時間(例えば５秒間)継続したとき、レシーバ通話からハンズフリー通話へ切り換える。
又、制御回路(９)は、ハンズフリー通話中に、近接センサー(７)がオフからオンとなったことが検知され、且つ開閉センサー(８)がオフからオンになったことが検知されたとき、ハンズフリー通話からレシーバ通話へ切り換える。
【００４１】
上記携帯電話機によれば、レシーバ通話中にユーザがキー操作を行なったり、画面を確認したりする場合、ユーザは電話機本体を耳元から遠ざけて、電話機本体を開き、この状態でキー操作を行なったり、画面を確認したりすることになる。これによって、近接センサー(７)がオンからオフになると共に、開閉センサー(８)がオンからオフになり、この状態で前記一定時間が経過することになる。この結果、レシーバ通話からハンズフリー通話へ切り換えられる。
【００４２】
これに対し、ユーザにハンズフリー通話へ切り換える意図がなく、一時的に電話機本体を耳元から遠ざけた場合や電話機本体を開いた場合は、レシーバ通話を継続するべく、ユーザは、前記一定時間が経過する前に、電話機本体を再度閉じて耳元に近づけるので、レシーバ通話からハンズフリー通話への切り換えが強制的に行なわれることはない。
【００４３】
図５及び図６は、前記第４の切り換え動作を実現するために制御回路(９)が実行する制御手続きを表わしている。
図５のステップＳ１にて閉状態でレシーバ通話が行なわれている状態で、ステップＳ２では、開閉センサーがオフとなったか否かを判断し、ノーの場合はステップＳ４に移行して、レシーバ通話を継続する。
【００４４】
ステップＳ２にてイエスと判断されたときは、ステップＳ３に移行して、近接センサーがオフとなったか否かを判断し、ノーの場合はステップＳ４に移行して、レシーバ通話を継続する。
ステップＳ３にてイエスと判断されたときは、ステップＳ５に移行し、タイマーをリセットする。
【００４５】
その後、ステップＳ６ではタイマーのカウント値に基づいて一定時間(例えば５秒間)が経過したか否かを判断する。
そして、ステップＳ６にてイエスと判断されたとき、ステップＳ７に移行して、ハンズフリー通話を設定する。
【００４６】
図６のステップＳ１１にてハンズフリー通話が行なわれている状態で、ステップＳ１２では、開閉センサーがオンとなったか否かを判断し、ノーの場合はステップＳ１５に移行して、ハンズフリー通話を継続する。
【００４７】
ステップＳ１２にてイエスと判断されたときは、ステップＳ１３に移行して、近接センサーがオンとなったか否かを判断し、ノーの場合はステップＳ１５に移行して、ハンズフリー通話を継続する。
ステップＳ１３にてイエスと判断されたときは、ステップＳ１４に移行して、レシーバ通話を設定する。
【００４８】
尚、前記第１〜第３の切り換え動作を実現するための制御手続きも同様に実現することが出来る。
【００４９】
上記携帯電話機によれば、第１〜第４の何れの切り換え動作によっても、レシーバ通話からハンズフリー通話への切り換えをユーザのキー操作によらずに行なうことが可能であり、然もユーザの意図しない切り換えを抑制することが出来る。
【００５０】
本発明の各部構成は上記実施の形態に限らず、特許請求の範囲に記載の技術的範囲内で種々の変形が可能である。例えば、開閉センサー(８)は、磁気検知器(81)とマグネット(82)の組合せに限らず、周知の構成を採用することが出来る。
【００５１】
又、レシーバ通話状態からハンズフリー状態へ切り換えるに際し(例えば図５のステップＳ６にてイエスと判断されたとき)、切り換えを行なうかどうかをユーザに問う選択画面を表示し、その選択画面に対してユーザがハンズフリー通話への切り換えを選択したときに、ハンズフリー通話を設定し、ユーザがハンズフリー通話への切り換えを選択しなかったときは、レシーバ通話を継続することも可能である。
【００５２】
又、本発明は、第１筐体(１)と第２筐体(２)をスライド可能に連結してなるスライド式の本体を具えた携帯電話機に限らず、第１筐体と第２筐体をヒンジ機構によって互いに回動可能に連結してなる折り畳み式の本体を具えた携帯電話機に実施することも可能である。
【００５３】
更に又、前記第１の切り換え動作は、第１筐体(１)と第２筐体(２)をスライド可能に連結してなる本体を具えた携帯電話機に限らず、単一の筐体からなる本体を具えた携帯電話機にも実施することが出来る。
【符号の説明】
【００５４】
(１)  第１筐体
(11)  操作キー
(12)  放音部
(２)  第２筐体
(21)  ディスプレイ
(22)  送話部
(23)  受話部
(７)  近接センサー
(８)  開閉センサー
(81)  磁気検知器
(82)  マグネット
【図１】
2013207481.tif 000003
【図２】
2013207481.tif 000004
【図３】
2013207481.tif 000005
【図４】
2013207481.tif 000006
【図５】
2013207481.tif 000007
【図６】
2013207481.tif 000008